(57)【要約】  【課題】  操作性が良好で、組み立てが容易にできるキャップ取付構造を提供する。  【解決手段】  クリップ２０が取り付けられる外軸筒１２は、外周面に開口１２ａが形成されており、その内部には、弾性変位可能な弾性片部１８ｂを有するクリップスプリング１８が固定的に配設される。クリップ２０は、外軸筒１２の外側に配設されるクリップ本体２０ａと、外軸筒１２に形成された開口１２ａから外軸筒１２内に進入する基部２０ｂと、を備えており、クリップ２０の基部２０ｂは、外軸筒１２内において、クリップスプリング１８の弾性片部１８ｂの受け部１８ｃに弾接した状態で、クリップスプリング１８によって抜け止めされることで、クリップ２０が外軸筒１２に取り付けられ、クリップ２０は、弾性片部１８ｂを変位させることにより、外軸筒１２に対して揺動可能となっている。【選択図】  図１Ｂ
2006082385.tif 000002
【特許請求の範囲】
【請求項１】
被取付部材に揺動可能なクリップを取り付けるクリップ取付構造において、
被取付部材の外周面に開口が形成されており、被取付部材の内部には弾性変位可能な弾性片部を有するクリップスプリングが固定的に配設され、
クリップは、被取付部材の外側に配設されるクリップ本体と、被取付部材内にその開口から進入する基部と、を備えており、
前記クリップの基部は、前記被取付部材内において、クリップスプリングの弾性片部に弾接した状態で、クリップスプリングによって抜け止めされることで、クリップが被取付部材に取り付けられ、
クリップは、該弾性片部を変位させることにより、被取付部材に対して揺動可能であることを特徴とするクリップ取付構造。
【請求項２】
前記クリップの基部は、クリップスプリングによって挟み付けられることによって抜け止めされることを特徴とする請求項１記載のクリップ取付構造。
【請求項３】
前記クリップの基部は、クリップスプリングの一部位と噛み合う噛み合い部と、弾性片部の端面部に当接するストッパー部とを有しており、クリップの基部は、取付時に、弾性片部を押圧しながら被取付部材内に進入し、クリップスプリングの一部位に噛み合うべく移動した際に、ストッパー部が弾性片部の端面部に当接することを特徴とする請求項２記載のクリップ取付構造。
【請求項４】
前記クリップの基部は、被取付部材内において、単独でまたはその他の部材と共にループ部を構成し、該ループ部内に前記弾性片部が挿入することによって抜け止めされることを特徴とする請求項２記載のクリップ取付構造。
【請求項５】
前記弾性片部は、その先端が折り返されており、該折り返された部分が、前記ループ部内に挿入されることを特徴とする請求項４記載のクリップ取付構造。
【発明の詳細な説明】
【技術分野】
【０００１】
本発明は、筆記具や化粧具等の被取付部材にクリップが取り付けられるクリップ取付構造に関する。
【背景技術】
【０００２】
従来、この種のクリップ取付構造としては、例えば特許文献１または２に記載されたものが知られている。
【０００３】
特許文献１に記載されたものは、弾性に富んだ金属からなるクリップの裏側に軸筒やキャップなどの被取付筒に穿設された取付孔の内寸に等しい差し込み部を形成し、先端部分が被取付筒の中心方向に向けて屈曲された舌片を差し込み部から連設し、クリップ裏側の頂部とクリップ裏側の玉を被取付筒の表面に圧接させて、舌片を取付孔より先端側の被取付筒の内面に圧接させている。組立の際に舌片の先端縁が取付孔の端縁に衝合しないようにして、容易に取り付けすることができるようにしている。
【０００４】
特許文献２に記載されたものは、内キャップにクリップが取り付けられており、内キャップが案内部を有し、クリップは案内部に沿ってクリップ用ばねのバネ力に逆らって変位可能に配置されており、内キャップは外キャップによって囲繞されている。これにより、クリップは、クリップ用ばねのバネ力に逆らって内キャップに対して斜めに離反する方向へと変位することができ、また、クリップの力を解除すれば、クリップ用ばねのバネ力によって元の位置へと戻ることができるようになっている。
【０００５】
【特許文献１】実開平５−２９９３号公報
【特許文献２】特開平４−２８８２９７号公報
【発明の開示】
【発明が解決しようとする課題】
【０００６】
しかしながら、上記特許文献１に記載のものでは、クリップ自身の持つ弾性によってのみクリップのバネ性を持たせているので、クリップで物を挟むためにクリップを本体に対して揺動させる際に、かなりの力を要し、大きく揺動をさせることは困難であるという問題がある。
【０００７】
一方の上記特許文献２に記載のものでは、クリップ用ばねにより弾性力を得ているので、操作性が特許文献１よりは優れていると推測されるが、構成が複雑であり、部品点数が多く組み立てが容易でない、という問題がある。
【０００８】
本発明はかかる課題に鑑みなされたもので、操作性が良好で、組み立てが容易にできるキャップ取付構造を提供することをその目的とする。
【課題を解決するための手段】
【０００９】
上記目的を達成するために本発明のうち請求項１記載の発明は、被取付部材に揺動可能なクリップを取り付けるクリップ取付構造において、
被取付部材の外周面に開口が形成されており、被取付部材の内部には弾性変位可能な弾性片部を有するクリップスプリングが固定的に配設され、
クリップは、被取付部材の外側に配設されるクリップ本体と、被取付部材内にその開口から進入する基部と、を備えており、
前記クリップの基部は、前記被取付部材内において、クリップスプリングの弾性片部に弾接した状態で、クリップスプリングによって抜け止めされることで、クリップが被取付部材に取り付けられ、
クリップは、該弾性片部を変位させることにより、被取付部材に対して揺動可能であることを特徴とする。
【００１０】
請求項２記載の発明は、請求項１記載の前記クリップの基部が、クリップスプリングによって挟み付けられることによって抜け止めされることを特徴とする。
【００１１】
請求項３記載の発明は、請求項２記載の前記クリップの基部が、クリップスプリングの一部位と噛み合う噛み合い部と、弾性片部の端面部に当接するストッパー部とを有しており、クリップの基部は、取付時に、弾性片部を押圧しながら被取付部材内に進入し、クリップスプリングの一部位に噛み合うべく移動した際に、ストッパー部が弾性片部の端面部に当接することを特徴とする。
【００１２】
請求項４記載の発明は、請求項２記載の前記クリップの基部が、被取付部材内において、単独でまたはその他の部材と共にループ部を構成し、該ループ部内に前記弾性片部が挿入することによって抜け止めされることを特徴とする。
【００１３】
請求項５記載の発明は、請求項４記載の前記弾性片部の先端が折り返されており、該折り返された部分が、前記ループ部内に挿入されることを特徴とする。
【発明の効果】
【００１４】
本発明によれば、クリップを被取付部材内に挿入する際にクリップスプリングによって抜け止めさせる。これによって、クリップを被取付部材に取り付けることができるようになる。クリップをクリップスプリングによって抜け止めさせているために、少ない部品点数でクリップを取り付けることができ、その組み立て作業も簡単にすることができる。また、クリップはクリップスプリングの弾性片部に弾接しているために、その弾性を利用して揺動することができる。クリップ自身に大きなバネ性を持たせなくとも、クリップのバネ性良く、簡単に揺動させることができる。
【００１５】
請求項２記載の発明によれば、クリップの基部をクリップスプリングによって挟み付けるだけで抜け止めを行っているので、簡単にクリップを被取付部材に取り付けることができる。
【００１６】
請求項３記載の発明によれば、取付時に、クリップの基部が弾性片部を押圧しながら被取付部材内に進入し、さらに、クリップが移動して、基部のストッパー部が弾性片部の端縁部に当接すると、クリップが反対方向に移動することができなくなる。よって、クリップの基部のクリップスプリングとの噛み合いを解除することができなくなるために、クリップを簡単に取り付けることができると共に、一度取り付けると、簡単に取り外すことはできなくなる。
【００１７】
請求項４記載の発明によれば、クリップの基部が構成するループ部に、弾性片部が挿入することで抜け止めを行っているので、簡単にクリップを被取付部材に取り付けることができる。
【００１８】
請求項５記載の発明によれば、クリップが揺動すると弾性片部の折り返し部分が変位するが、折り返し部であるために弾性力及び剛性が高く、そのため、クリップスプリングの耐久性及びクリップの高い復元力を持たせることができる。
【発明を実施するための最良の形態】
【００１９】
以下、図面を用いて本発明の実施の形態を説明する。
（第１の実施形態）
図１は、本発明の第１実施形態に係るクリップ構造が適用される筆記具の全体図である。図において、１０はクリップが取り付けられる製品であり、この例では、筆記具であるが、化粧具その他の任意の製品とすることができる。製品１０は、詳細には、被取付部材としての外軸筒１２と、内軸筒１４と、尾栓１６と、さらに、内軸筒１４を含みまたは内軸筒１４とは別に構成される機能部と、を備える。機能部は、製品１０の本来の機能を果たすために必要な部分または機構であり、例えば、筆記体または塗布部を繰出すための機構や、筆記体の先端を保護する部分等が該当するが、本発明の要旨ではないので、詳細説明は省略するが、任意の部分または機構とすることができる。
【００２０】
外軸筒１２に取り付けられるクリップ２０は、図２に示したように、外軸筒１２の外周面に沿って伸びて全体的に逆Ｕ字形状の横断面形状を有するクリップ本体部２０ａと、外軸筒１２内に進入する一対の基部２０ｂとを備える。クリップ本体部２０ａの先端と外軸筒１２との間で書類や衣類等を挟付け可能となっている。基部２０ｂは、クリップ本体部２０ａの後端から外軸筒１２の方へと伸びており、その前方に面して開口する切欠２０ｃが形成され、さらに、切欠２０ｃと反対側の後方に面して小さなストッパー段部２０ｄが形成されている。切欠２０ｃは、後述の噛み合い部として機能する。
【００２１】
外軸筒１２には、その周面に、前記クリップ２０の基部２０ｂが挿通する一対のスリット状の開口１２ａ、１２ａが形成されている（図５Ｂ参照）。
【００２２】
内軸筒１４には、図３Ａ，Ｂに示したように、その周面に開口１４ａが形成されており、その開口１４ａに隣接して環状溝１４ｂが形成されている。開口１４ａの前端には、開口１４ａから連続する一対の切込み１４ｃが形成されている。
【００２３】
内軸筒１４の環状溝１４ｂには、クリップスプリング１８が嵌め込まれて固定される。クリップスプリング１８は、図４Ａ〜Ｄに示したように、環状溝１４ｂに嵌め込まれるリング部１８ａと、リング部１８ａの一部位から後方へと伸びる弾性片部１８ｂとを有している。リング部１８ａには、スリット１８ｄが形成されている。また、弾性片部１８ｂの後部には、その両側面から周方向に張り出した受け部１８ｃが形成されている。弾性片部１８ｂは、図４Ｃに示したように、径方向に弾性変位することが可能となっている。
【００２４】
内軸筒１４の後内部には、尾栓１６がねじ込まれる。尾栓１６と内軸筒１４とは、外軸筒１２の後端面を跨り、連結されることにより、両者は外軸筒１２に固定される。
【００２５】
以上の部品から構成されるクリップ取付構造のクリップ取付手順について図５及び図６を参照しながら、説明する。
【００２６】
はじめに、内軸筒１４の環状溝１４ｂに、クリップスプリング１８のリング部１８ａを嵌め込む（図５Ａ）。このときには、スリット１８ｄを適宜拡張して嵌め入れることができる。
【００２７】
次に、一体になった内軸筒１４とクリップスプリング１８とを外軸筒１２内に外軸筒１２の前方から挿入し、また、尾栓１６を外軸筒１２の後方から挿入して、内軸筒１４に螺着する。このとき、外軸筒１２のスリット状の開口１２ａ、１２ａと、内軸筒１４の開口１４ａとを互いに整合する位置に配置する。この状態で、クリップ２０の各基部２０ｂを対応する外軸筒１２のスリット状の開口１２ａに挿入する。基部２０ｂは、外軸筒１２内且つ内軸筒１４の開口１４ａ内において、クリップスプリング１８の弾性片部１８ｂの両側で、且つ受け部１８ｃとリング部１８ａとの間の空間内へと進入していく。
【００２８】
図６Ａ〜図６Ｃは、分かりやすくするために外軸筒１２を省略した外軸筒１２内の断面図である。基部２０ｂの進入と共に基部２０ｂは、受け部１８ｃに上方から当接し、受け部１８ｃを下方へと押し下げる（図６Ａ）。さらに基部２０ｂを押して、切欠２０ｃがほぼ外軸筒１２内に挿入された所で、図６Ｂ中、左側へクリップ２０を移動させると、切欠２０ｃ内に、相対的にクリップスプリング１８のリング部１８ａ及び図示しない外軸筒１２が進入する。尚、このとき、基部２０ｂの切欠２０ｃよりも下方部分は、開口１４ａの切込み１４ｃ内へと進入している。
【００２９】
また、同時に、ストッパー段部２０ｄが受け部１８ｃの上を通り過ぎるので、受け部１８ｃは弾性片部１８ｂの弾性力によって若干上方へと戻り、ストッパー段部２０ｄが受け部１８ｃの端部と当接し、両者が係止する。
【００３０】
以上のようにして簡単な組み立て手順でクリップ２０を被取付部材１０に取り付けることができる。クリップ２０は、取り付けられた状態で、その切欠２０ｃがクリップスプリング１８のリング部１８ａと外軸筒１２と噛み合っており、且つストッパー段部２０ｄがクリップスプリング１８の受け部１８ｃに係止している。切欠２０ｃとクリップスプリング１８及び外軸筒１２との噛み合いを解除するべく、クリップ２０を後方へと戻そうとしても、ストッパー段部２０ｄと受け部１８ｃとの係止により、クリップ２０は後退することができない。言い換えれば、クリップ２０の基部２０ｂは、クリップスプリング１８のリング部１８ａと受け部１８ｃに挟み付けられている。そのため、一度クリップ２０を取り付けると、簡単には取り外すことができないようになっている。また、クリップ２０の基部２０ｂは、弾性片部１８ｂの受け部１８ｃに弾接する。
【００３１】
このようにして取り付けられたクリップ２０を、図１Ｂ及び図１Ｃに示したように、クリップ２０と外軸筒１２との間に物を挟むために揺動させると、クリップ２０は切欠２０ｃを支点として回転し、このときに、基部２０ｂが受け部１８ｃを押圧して、弾性片部１８ｂを外軸筒１２内へと押し付けるために、弾性片部１８ｂが変形する。また、クリップ２０への力を解除すると、弾性片部１８ｂの復元力により元の状態に復元する。
【００３２】
このように、クリップスプリング１８の弾性片部１８ｂのバネ力を利用して、クリップ２０の揺動をさせることができるために、クリップ２０自体の弾性力は主として利用しなくてよく、操作性の良いものとなっている。
（第２の実施形態）
図７は、本発明の第２実施形態に係るクリップ構造が適用される筆記具の全体図である。第１実施形態と同様の部材は同一の符号を用いてその説明を省略する。
【００３３】
図において、１０はクリップが取り付けられる製品であり、製品１０は、詳細には、被取付部材としての外軸筒２２と、内軸筒２４と、尾栓２６と、さらに、内軸筒２４を含みまたは内軸筒２４とは別に構成される機能部と、を備える。
【００３４】
外軸筒２２に取り付けられるクリップ３０は、図８に示したように、外軸筒２２の外周面に沿って伸びて全体的に逆Ｕ字形状の横断面形状を有するクリップ本体部３０ａと、外軸筒２２内に進入する一対の基部３０ｂとを備える。クリップ本体部３０ａの先端と外軸筒２２との間で書類や衣類等を挟付け可能となっている。一対の基部３０ｂは、クリップ本体部３０ａの後端から外軸筒２２の方へと伸びており、その先端は、互いの方に向ってほぼ直角に屈曲した屈曲部３０ｃを有している。
【００３５】
外軸筒２２には、その周面に、前記クリップ３０の基部３０ｂが挿通する一対のスリット状の開口２２ａ、２２ａが形成されている（図１１Ａ参照）。
【００３６】
内軸筒２４には、図９Ａ，Ｂに示したように、その後端部の周面に後方へと連通した開口２４ａが形成されており、その開口２４ａに隣接して周方向に伸びる周溝２４ｂが形成されている。周溝２４ｂは、第１実施形態のように、一周に渡って伸びる環状溝でも良いが、この例では、約半周に渡って伸びる周溝となっている。
【００３７】
この内軸筒２４の周溝２４ｂには、クリップスプリング２８が嵌め込まれて固定される。クリップスプリング２８は、図１０に示したように、周溝２４ｂに嵌め込まれる半リング部２８ａと、半リング部２８ａの一部位から切込みに挟まれて後方へと伸びる弾性片部２８ｂとを有している。また、弾性片部２８ｂは、自然状態で適宜屈曲しており、その屈曲程度を弾性変更させることができるようになっている。
【００３８】
内軸筒２４の後内部には、尾栓２６がねじ込まれる。尾栓２６と内軸筒２４とは、外軸筒２２の後端面を跨り、連結されることにより、両者は外軸筒２２に固定される。
【００３９】
以上の部品から構成されるクリップ取付構造のクリップ取付手順について図１１Ａ〜Ｃを参照しながら、説明する。
【００４０】
はじめに、内軸筒２４の周溝２４ｂに、クリップスプリング２８の半リング部２８ａを嵌め込む。このとき、半リング部２８ａは、約１８０度の半リングであるため、簡単に嵌め入れることができる。
【００４１】
一方、クリップ３０の各基部３０ｂを対応する外軸筒２２のスリット状の開口２２ａ、２２ａに挿入した後、一体になった内軸筒２４とクリップスプリング２８とを外軸筒２２内に外軸筒２２の前方から挿入する（図１１Ｂ）。また、尾栓２６を外軸筒２２の後方から挿入して、内軸筒２４に螺着する。
【００４２】
クリップ３０の一対の基部３０ｂは互いの方へ屈曲した屈曲部３０ｃを有しているため、被取付部材１０内の内軸筒２４の開口２４ａ内で、クリップ３０の基部３０ｂは、外軸筒２２と共にループ部を構成している。このループ部に、クリップスプリング２８の弾性片部２８ｂが挿入される。
【００４３】
こうして、より簡単な組み立て手順でクリップ３０を被取付部材１０に取り付けることができる。クリップ３０は、取り付けられた状態で、その基部３０ｂが構成するループ部内にクリップスプリング２８の弾性片部２８ｂが挿通する形態となっているので、クリップ３０は被取付部材１０から取り外し不能となっている。尚、ループ部は、弾性片部２８ｂが挿通する状態を維持するためのものであるから、この例のように完全に閉鎖したループである必要はない。また、クリップ３０の基部３０ｂが構成するループ部は、弾性片部２８ｂに弾接する。
【００４４】
このようにして取り付けられたクリップ３０を、図７Ｂ及び図７Ｃに示したように、クリップ３０と外軸筒２２との間に物を挟むために揺動させると、クリップ３０は基部３０ｂの後端部を支点として回転し、このときに、屈曲部３０ｃが弾性片部２８ｂを押圧して、外軸筒２２外方向へと押し付けるために、弾性片部２８ｂが変形する。また、クリップ３０への力を解除すると、弾性片部２８ｂの復元力により元の状態に復元する。
【００４５】
このように、クリップスプリング２８の弾性片部２８ｂのバネ力を利用して、クリップ３０の揺動をさせることができるために、クリップ３０自体の弾性力は主として利用しなくてよく、操作性の良いものとなっている。
（第３の実施形態）
図１２は、本発明の第３実施形態に係るクリップ構造が適用される筆記具の全体図である。前実施形態と同様の部材は同一の符号を用いてその説明を省略する。
【００４６】
図において、１０は製品であり、製品１０は、詳細には、被取付部材としての外軸筒２２と、内軸筒２４と、尾栓２６と、さらに、内軸筒２４を含みまたは内軸筒２４とは別に構成される機能部と、を備える。
【００４７】
外軸筒２２に取り付けられるクリップ４０は、図１３に示したように、外軸筒２２の外周面に沿って伸びて全体的に逆Ｕ字形状の横断面形状を有するクリップ本体部４０ａと、外軸筒２２内に進入する一対の基部４０ｂとを備える。クリップ本体部４０ａの先端と外軸筒２２との間で書類や衣類等を挟付け可能となっている。一対の基部４０ｂは、クリップ本体部４０ａの後端から外軸筒２２の方へと伸びており、その先端は、互いの方に向ってほぼ直角に屈曲した屈曲部４０ｃを有している。
【００４８】
クリップスプリング３８は、図１４Ａに示したように、内軸筒２４の周溝２４ｂに嵌め込まれる半リング部３８ａと、半リング部３８ａの一部位から後方へと伸びる弾性片部３８ｂとを有している。また、弾性片部３８ｂは、その先端部が折り返されており、折り返された先端部は、その折り返し角度を弾性的に変化させることができるようになっている。
【００４９】
以上の部品から構成されるクリップ取付構造のクリップ取付手順は、第２実施形態とほぼ同様であり、図１１Ａ〜図１１Ｃの手順で行なう。即ち、クリップスプリング３８の弾性片部３８ｂは、クリップ４０の基部４０ｂとその屈曲部４０ｃとで構成されるループ部に囲まれる空間内に挿入される。また、クリップ４０の基部４０ｂが構成するループ部は、弾性片部３８ｂに弾接する。
【００５０】
こうして、より簡単な組み立て手順でクリップ４０を外軸筒２２に取り付けることができる。クリップ４０は、取り付けられた状態で、その基部４０ｂ内にクリップスプリング３８の弾性片部３８ｂが挿通する形態となっているので、クリップ４０は外軸筒２２から取り外し不能となっている。
【００５１】
このようにして取り付けられたクリップ４０を、図１２Ｂ及び図１２Ｃに示したように、クリップ４０と外軸筒２２との間に物を挟むために揺動させると、基部４０ｂの後端部を支点として回転し、このときに、屈曲部４０ｃが弾性片部３８ｂを押圧して、外軸筒２２外方向へと押し付けるために、弾性片部３８ｂが変形する。また、クリップ４０への力を解除すると、弾性片部３８ｂの復元力により元の状態に復元する。
【００５２】
このように、クリップスプリング３８の弾性片部３８ｂのバネ力を利用して、クリップ４０の揺動をさせることができるために、クリップ４０自体の弾性力は主として利用しなくてよく、操作性の良いものとなっている。この実施形態では、弾性片部３８ｂが折曲されているため、弾性力が高くなっており、クリップ４０の高い復元力を得ることができ、且つ、クリップスプリング３８の耐久性も高めることができる。
【図面の簡単な説明】
【００５３】
【図１Ａ】本発明の第１実施形態に係るクリップ構造が適用される筆記具の全体図である。
【図１Ｂ】図１Ａの部分断面拡大図である。
【図１Ｃ】図１Ａの部分断面拡大図であり、クリップが揺動した状態を表す。
【図２Ａ】第１実施形態のクリップの側面図である。
【図２Ｂ】図２Ａの２Ｂ−２Ｂ線に沿って見た断面図である。
【図３Ａ】第１実施形態の内軸筒の縦断面図である。
【図３Ｂ】第１実施形態の内軸筒の平面図である。
【図４Ａ】第１実施形態のクリップスプリングの平面図である。
【図４Ｂ】第１実施形態のクリップスプリングの縦断面図である。
【図４Ｃ】第１実施形態のクリップスプリングの縦断面図である。
【図４Ｄ】第１実施形態のクリップスプリングの背面図である。
【図５Ａ】第１実施形態のクリップ取付構造の組み立て手順を表す図である。
【図５Ｂ】第１実施形態のクリップ取付構造の組み立て手順を表す図である。
【図５Ｃ】第１実施形態のクリップ取付構造の組み立て手順を表す図である。
【図６Ａ】第１実施形態のクリップ取付構造の組み立て時の拡大断面図である。
【図６Ｂ】第１実施形態のクリップ取付構造の組み立て時の拡大断面図である。
【図６Ｃ】第１実施形態のクリップ取付構造の組み立て時の拡大断面図である。
【図７Ａ】本発明の第２実施形態に係るクリップ構造が適用される筆記具の全体図である。
【図７Ｂ】図７Ａの部分断面拡大図である。
【図７Ｃ】図７Ａの部分断面拡大図であり、クリップが揺動した状態を表す。
【図８Ａ】第２実施形態のクリップの側面図である。
【図８Ｂ】図８Ａの８Ｂ−８Ｂ線に沿って見た断面図である。
【図９Ａ】第２実施形態の内軸筒の縦断面図である。
【図９Ｂ】第２実施形態の内軸筒の平面図である。
【図１０Ａ】第２実施形態のクリップスプリングの平面図である。
【図１０Ｂ】第２実施形態のクリップスプリングの側面図である。
【図１１Ａ】第２実施形態のクリップ取付構造の組み立て手順を表す図である。
【図１１Ｂ】第２実施形態のクリップ取付構造の組み立て手順を表す図である。
【図１１Ｃ】第２実施形態のクリップ取付構造の組み立て手順を表す図である。
【図１２Ａ】本発明の第３実施形態に係るクリップ構造が適用される筆記具の全体図である。
【図１２Ｂ】図１２Ａの部分断面拡大図である。
【図１２Ｃ】図１２Ａの部分断面拡大図であり、クリップが揺動した状態を表す。
【図１３Ａ】第３実施形態のクリップの側面図である。
【図１３Ｂ】図１３Ａの１３Ｂ−１３Ｂ線に沿って見た断面図である。
【図１４Ａ】第３実施形態のクリップスプリングの平面図である。
【図１４Ｂ】第３実施形態のクリップスプリングの縦断面図である。
【符号の説明】
【００５４】
１２、２２  外軸筒（被取付部材）
１２ａ、２２ａ  開口
１４、２４  内軸筒
１８、２８、３８  クリップスプリング
１８ｂ、２８ｂ、３８ｂ  弾性片部
２０、３０、４０  クリップ
２０ａ、３０ａ、４０ａ  クリップ本体
２０ｂ、３０ｂ、４０ｂ  基部
２０ｃ  切欠（噛み合い部）
２０ｄ  ストッパー段部
３０ｃ、４０ｃ  屈曲部
【図１Ａ】
2006082385.tif 000003
【図１Ｂ】
2006082385.tif 000004
【図１Ｃ】
2006082385.tif 000005
【図２Ａ】
2006082385.tif 000006
【図２Ｂ】
2006082385.tif 000007
【図３Ａ】
2006082385.tif 000008
【図３Ｂ】
2006082385.tif 000009
【図４Ａ】
2006082385.tif 000010
【図４Ｂ】
2006082385.tif 000011
【図４Ｃ】
2006082385.tif 000012
【図４Ｄ】
2006082385.tif 000013
【図５Ａ】
2006082385.tif 000014
【図５Ｂ】
2006082385.tif 000015
【図５Ｃ】
2006082385.tif 000016
【図６Ａ】
2006082385.tif 000017
【図６Ｂ】
2006082385.tif 000018
【図６Ｃ】
2006082385.tif 000019
【図７Ａ】
2006082385.tif 000020
【図７Ｂ】
2006082385.tif 000021
【図７Ｃ】
2006082385.tif 000022
【図８Ａ】
2006082385.tif 000023
【図８Ｂ】
2006082385.tif 000024
【図９Ａ】
2006082385.tif 000025
【図９Ｂ】
2006082385.tif 000026
【図１０Ａ】
2006082385.tif 000027
【図１０Ｂ】
2006082385.tif 000028
【図１１Ａ】
2006082385.tif 000029
【図１１Ｂ】
2006082385.tif 000030
【図１１Ｃ】
2006082385.tif 000031
【図１２Ａ】
2006082385.tif 000032
【図１２Ｂ】
2006082385.tif 000033
【図１２Ｃ】
2006082385.tif 000034
【図１３Ａ】
2006082385.tif 000035
【図１３Ｂ】
2006082385.tif 000036
【図１４Ａ】
2006082385.tif 000037
【図１４Ｂ】
2006082385.tif 000038